(57)【要約】      （修正有）【課題】厚いダンボールを使用しなくても、前面板と側面板及び底板の耐久性を高められた葬儀用紙棺を提供する。【解決手段】底板３を基準に前面板４と後面板５及び側面板６が起立状態で折られ、後面板５に蓋板７と仕上げ板８が順次折り畳めるようにしたボックスタイプの葬儀用紙棺１において、前面板４は、底板３とつながった前面外板４ｂの外側へ前面内板４ａを折り畳めるように構成し、側面板４は、底板３とつながった側面外板６ｂの外側へ側面内板４ａを折り畳めるように構成され、側面内板６ａ及び側面外板６ｂの間には前面板４と後面板５の両側に一体形成された固定板９がはさまれた状態で折り畳めるようにし、前面内板４ａと側面内板６ａに永久磁石を付着し、それぞれに対応する前面外板４ｂと側面外板６ｂ及び仕上げ板８に金属板１１を付着し、磁力により固定できる構成とする。【選択図】図１
2015002825.tif 000002
【特許請求の範囲】
【請求項１】
底板を基準に前面板と後面板及び側面板が起立状態で折られ、後面板に蓋板と仕上げ板が順次折り畳めるようにしたボックスタイプの葬儀用紙棺において、
前記前面板は、前記底板とつながった前面外板の外側へ前面内板を折り畳めるように構成し、
前記側面板は、前記底板とつながった側面外板の外側へ側面内板を折り畳めるように構成され、 該側面内板及び該側面外板の間には前記前面板と前記後面板の両側に一体形成された固定板がはさまれた状態で折り畳めるようにし、
前記前面内板と前記側面内板に永久磁石を付着し、それぞれに対応する前記前面外板と前記側面外板及び前記仕上げ板に金属板を付着し、磁力により固定できるようにしたことを特徴とする葬儀用紙棺。
【請求項２】
前記前面板を構成する前記前面内板に連結して構成された底内板と、
該底内板に連結して構成された後面内板と、を有し、
前記底内板と前記後面内板を順次折り畳むことにより、前記底板及び前記後面板を二重構成としたことを特徴とする請求項１記載の葬儀用紙棺。
【請求項３】
前記側面内板の端には、前記底板の両端に形成された固定溝にはめ込む突片が形成され、
前記側面内板を折った状態で前記突起を前記固定溝にはめ込んで固定できることを特徴とする請求項１または請求項２記載の葬儀用紙棺。
【発明の詳細な説明】
【技術分野】
【０００１】
本発明は、葬儀用紙棺に関するものであり、より具体的には別途の固定作業が必要なく葬儀場で簡単に折って使用出来るボックスタイプで構成され、耐久性を改善し保管及び物流などによる便宜性を提供できるようにした葬儀用紙棺に関するものである。
【背景技術】
【０００２】
韓国の葬儀は埋葬文化が発達しており、このため国土の多くの面積が墳墓により蝕まれているのが実情である。
【０００３】
最近はこのような問題点を解決する目的で火葬した遺骨を骨壷に納め保管する納骨堂が提案されており、次第に火葬文化が定着しつつある。
【０００４】
一方、葬儀用として使用される棺の場合、大部分が埋葬用として広く使用されてきた木棺をそのまま使用している。
【０００５】
火葬の場合死体を高熱で焼却処理するものであり、木棺が死体と共に火葬されるのは資源の無駄につながる。
【０００６】
木棺の製作は樹齢数十年ないし数百年の樹木を伐採して使用するため制作費用が上昇し、地球環境の変化をもたらすのはもちろんであり、火葬の際にも燃料の消耗を増加させるなど多くの問題点があった。
【０００７】
このような木棺による問題点を改善するための手段として、紙棺を開発・使用しており、代表的な例としては、紙で製作された葬儀用棺（たとえば、特許文献１）、二重に組み立てられた立体型葬儀用棺などが提案されたことがある(例えば、特許文献２)。
【先行技術文献】
【特許文献】
【０００８】
【特許文献１】大韓民国公開特許公報第２０００−００３６５０３号明細書
【特許文献２】大韓民国公開特許公報第２００１−００８５０５３号明細書
【発明の概要】
【発明が解決しようとする課題】
【０００９】
しかしながら、従来の葬儀用棺では、底板を中心に前面板と後面板及び側面板などを起立させ接着剤を利用して接着する方法が大部分であるが、このような紙棺の場合、接着過程を経なければならず葬儀場において即時に組み立てて使用するのが困難である。そのためこのような紙棺を工場で製作後注文時に即時配達・使用する場合、物流費用が過度に発生するなどの問題点があり、前面板と側面板及び底板の耐久性を高めるため厚いダンボールを使用しなければならないなどの問題点があった。
【００１０】
本発明は、上記問題点に鑑みてなされたもので、別途の固定作業の必要がなく葬儀場で簡単に折って使用出来るボックスタイプで、耐久性を改善し保管及び物流による便宜性を提供できるようにした葬儀用紙棺を提供するものである。
【課題を解決するための手段】
【００１１】
上記課題を解決し上記目的を達成するために、本発明のうち一態様に係るものは、底板を基準に前面板と後面板及び側面板が起立状態で折られ、後面板に蓋板と仕上げ板が順次折り畳めるようにしたボックスタイプの葬儀用紙棺において、前面板は、底板とつながった前面外板の外側へ前面内板を折り畳めるように構成し、側面板は、底板とつながった側面外板の外側へ側面内板を折り畳めるように構成され、
側面内板及び側面外板の間には前面板と後面板の両側に一体形成された固定板がはさまれた状態で折り畳めるようにし、前面内板と側面内板に永久磁石を付着し、それぞれに対応する前面外板と側面外板及び仕上げ板に金属板を付着し、磁力により固定できるようにしたものである。
【００１２】
本発明のうち第２の態様に係るものは、第１の態様に係る葬儀用紙棺であって、前面板を構成する前面内板に連結して構成された底内板と、該底内板に連結して構成された後面内板と、を有し、底内板と後面内板を順次折り畳むことにより、底板及び後面板を二重構成としたものである。
【００１３】
本発明のうち第３の態様に係るものは、第１の態様または第２の態様に係る葬儀用紙棺であって、側面内板の端には、底板の両端に形成された固定溝にはめ込む突片が形成され、側面内板を折った状態で突起を固定溝にはめ込んで固定できるものである。
【発明の効果】
【００１４】
本発明によれば、展開した状態で運搬ができ物流費用を節減できるとともに、いくつかの紙棺を広げた状態で保管でき紙棺に対する嫌悪感がない。また、必要時に即時折って使用でき便利性を提供できる。さらに、前面板と側面板及び底板の二重構成が可能で、耐久性を向上させ棺を運ぶ際紙棺が破損するなどの問題点を一掃できる。
【図面の簡単な説明】
【００１５】
【図１】本発明の第１の実施形態における葬儀用紙棺の蓋板を開放した状態を示す図である。
【図２】図１のＡ−Ａ断面図である。
【図３】図１のＢ−Ｂ断面図である。
【図４】同葬儀用紙棺の展開図である。
【図５】本発明の第２の実施形態における葬儀用紙棺の展開図である。
【図６】同葬儀用紙棺の組立状態側断面図である。
【図７】本発明の実施形態において使用される厚紙の断面図である。
【図８】本発明の実施形態における葬儀用紙棺の蓋板に装飾が印刷された例を示した平面図である。
【発明を実施するための形態】
【００１６】
以下において本発明で提供する葬儀用紙棺の第１の実施形態を添付図面により説明する。
【００１７】
図1は本発明の第１の実施形態における葬儀用紙棺の蓋板を開放した状態を示す図であり、図２は図１のＡ−Ａ断面図であり、図３は図１のＢ−Ｂ断面図であり、図４は同葬儀用紙棺の展開図である。    
【００１８】
本実施形態において提供する葬儀用紙棺１は１０ｍｍ程度の厚紙２を利用して製作されたものであり、図に示されたように底板３を基準とし前面板４と後面板５及び側面板６が起立状態で折られ、後面板５に蓋板７と仕上げ板８が順次折り畳めるようにしたボックスタイプの葬儀用紙棺１の構成を積極的に改良発明したものである。
【００１９】
すなわち、本実施形態では前面板４と側面板６を二重にし、耐久性を改善したのが特徴である。
【００２０】
このため本実施形態では上記前面板４を底板３とつながった前面外板４ｂの外側へ前面内板４ａを折り畳めるように構成し、側面板６を底板３とつながった側面外板６ｂの外側へ側面内板６ａを折り畳めるように構成した。
【００２１】
一方、側面内板６ａ及び 側面外板６ｂの間には前面板４と後面板５の両側に一体形成された固定板９がはさまれた状態で折り畳めるようにした。これは前面板４と後面板５が起立した状態を安全に維持できるようにし、耐久性が形成されるようにした機能性を提供している。
【００２２】
上記固定板９は底板３の１／２に該当する幅で裁断され、２枚の固定板９の両端が相接するとき側面板６と符合する大きさとなる。
【００２３】
このとき上記側面内板６ａの端には底板３の両端に形成された固定溝３ａにはめ込む突片６ａ−１を形成し、側面内板６ａを折って形成した状態で固定できるようにした。
【００２４】
そして本実施形態においては上記の通り葬儀用紙棺１を構成するにあたり、別途の固定手段が必要なく二重構造の前面板４及び側面板６の固定と共に蓋板７を固定できるようにしたことを特徴とする。
【００２５】
本実施形態においてはこのため前面板４と側面板６を構成する副材として永久磁石板１０とそれに付着する金属板１１を設置した。
【００２６】
本実施形態においては前面内板４ａと側面内板６ａに永久磁石を付着し、それぞれに対応する前面外板４ｂと側面外板６ｂに金属板１１を付着し磁力で固定できるようにし、蓋板７に連結し折り畳めるよう一体形成されている仕上げ板８に金属板１１を付着し、上記前面板４の永久磁石板１０にくっ付くようにした。
【００２７】
上記の永久磁石板１０は薄くて安価なゴム磁石板を使用するのが理想的であり、永久磁石板１０と金属板１１の位置は製作の便宜性により大きさと付着位置を決定可能にするのは当然である。
【００２８】
蓋板７には長い方の両側へ側面板６内側に折り畳める側面仕上げ板７ａを連結して折り畳めるように形成した。
【００２９】
一方、別途の固定手段なく二重構成の前面板４及び側面板６の固定と共に蓋板７を固定できるようにした構成要素として、本実施形態において永久磁石板１０と金属板１１を利用した例を図示して説明したが、固定手段の異なる例として面ファスナーなどを使用できることは当然である。
【００３０】
図５は本発明の第２の実施形態における葬儀用紙棺の展開図であり、図６は同葬儀用紙棺の組立状態側断面図である。なお、図６は図２と同方向の断面図である。
【００３１】
これは上記の通り葬儀用紙棺１を構成するにあたり、底板３及び後面板５を二重構成にし、葬儀用紙棺１の耐久性をさらに向上させたものである。
【００３２】
底板３と後面板５を二重構成にするためには前面板４を構成する前面内板４ａに底内板１２と後面内板１３を折り畳めるよう順次さらに形成したものである。
【００３３】
このように底板３と後面板５などを共に二重構成にした場合、耐久性向上が期待でき、厚紙２の厚さを１０ｍｍ以下にしても紙棺１が破損するなどの心配がなく安全な使用が保障できる。
【００３４】
本実施形態において提供する葬儀用紙棺１を製作する際に使用する厚紙２は図７の通りダンボール２ａの両面に木目柄のシート紙２ｂを接着するのが理想的であり、図８のように蓋板７の外面や前面板４の外面に配置できるよう宗教を象徴する装飾を印刷した提供が可能である。ここで、図７は本発明の実施形態において使用される厚紙の断面図であり、図８は本発明の実施形態における葬儀用紙棺の蓋板に装飾が印刷された例を示した平面図である。
【００３５】
図面中説明されていない符号１４は葬儀用紙棺１に納められている遺体を安全に固定する棺内装材を図示したものである。
【００３６】
以上の通り構成された本実施形態の葬儀用紙棺１は工場において厚紙２として裁断後、葬儀場へ運搬後必要時に葬儀場ですぐに組み立てて使用できるもので、以下に葬儀用紙棺１の組立例を説明する。
【００３７】
本実施形態の葬儀用紙棺１を使用する際には、まず底板３を基準とし前面板４を折って立て、後面板５及び側面板６を折って立てる。
【００３８】
前面板４を立てる方法は前面内板４ａと全面外板４ｂを重ねて折った状態で底板３と前面板４の境界を折り、後面板５を前面板４と一緒に底板３と後面板５の境界へ折る。
【００３９】
そして側面板６を立てる方法は、まず前面板４と後面板５の長い方向の両側に形成された固定板９を折り、両端が相接する状態で側面外板６ｂを底板３との境界を折って立て、側面外板６ｂの外側に形成された側面内板６ａを折り、前面板４と後面板５で折った固定板９を覆うようにする。
【００４０】
次に後面板５に連結して形成された蓋板７を折り、 蓋板７に連結して形成された仕上げ板８を折り前面板４をカバーする。
【００４１】
この時前面内板４ａと前面外板４ｂ、側面内板６ａと側面外板６ｂ、仕上げ板８は設置されている永久磁石板１０と金属板１１が磁力によりくっ付く構成となっており、別途の固定手段が必要なく堅固な固定状態を提供できる。
【００４２】
また図５、図６に示されている通り前面板４に底内板１２と後面内板１３を連結して構成した場合、葬儀用紙棺１全体が二重構成となり、耐久性をさらに向上させることができる。
【００４３】
今回開示された実施の形態はすべての点で例示であって制限的なものではないと考えられるべきである。さらに本発明の範囲は、上記した説明ではなく特許請求の範囲の記載によって示され、特許請求の範囲と均等の意味及び範囲内でのすべての変更が含まれることが意図される。
【符号の説明】
【００４４】
１      葬儀用紙棺
２      厚紙
２ａ    ダンボール
２ｂ    シート紙
３      底板
３ａ    固定溝
４      前面板
４ａ    全面内板
４ｂ    前面外板
５      後面板
６      側面板
６ａ    側面内板
６ａ−１  突片
６ｂ    側面外板
７      蓋板
８      仕上げ板
９      固定板
１０    永久磁石板
１１    金属板
１２    底内板
１３    後面内板
【図１】
2015002825.tif 000003
【図２】
2015002825.tif 000004
【図３】
2015002825.tif 000005
【図４】
2015002825.tif 000006
【図５】
2015002825.tif 000007
【図６】
2015002825.tif 000008
【図７】
2015002825.tif 000009
【図８】
2015002825.tif 000010